(57)【要約】【課題】  食物等の物を掴んだり、押えたりすることのできる押え面付きトングを提供する。【解決手段】   押え面付きトングであって、把持部と、この把持部から延在して設けられた挟持部と、この挟持部に設けられた押え面から構成され、この把持部はヒンジ部を介して構成された一対の把持体からなり、この挟持部はこの把持体からそれぞれ湾曲して延在する一対の挟持体からなり、この一方の挟持体の外方には押え面が設けられていることを特徴とする押え面付きトング。【選択図】図４
2019058217.tif 000002
【特許請求の範囲】
【請求項１】
物を掴むトングであって、把持部と、この把持部から延在して設けられた挟持部と、この挟持部に設けられた押え面から構成され、この把持部はヒンジ部を介して構成された一対の把持体からなり、この挟持部はこの把持体からそれぞれ湾曲して延在する一対の挟持体からなり、この一方の挟持体の外方には押え面が設けられていることを特徴とする押え面付きトング。
【請求項２】
請求項１の押え面付きトングの押え面にブラシを設けたことを特徴とする押え面付トング。
【請求項３】
請求項１、又は請求項２何れかの押え面付トングに横ずれ防止部を設けたことを特徴とする押え面付トング。
【発明の詳細な説明】
【技術分野】
【０００１】
この発明は、食物等の物を掴む通常のトングに加え、追加機能を備えた押え面付きトングに関する。
【背景技術】
【０００２】
従来、家庭で使うトングは、例えば特許文献１、特許文献２、特許文献３のように、食物等の物を掴んで移動・移し替えに使う単機能であった。この為、ジャガイモ等を細かく潰す場合は、別途ヘラを使っていた。こうすると、それぞれの目的に応じて道具を用意し、使用後は洗って片付けなければならず、台所に道具があふれる原因ともなっていた。
【先行技術文献】
【特許文献】
【０００３】
【特許文献１】実用新案登録３２０９２４０
【特許文献２】特許公開２０１４−１１３３５１
【特許文献３】特許公開２０１６−２２３６０
【発明の概要】
【発明が解決しようとする課題】
【０００４】
従来、図５のように通常のトングでジャガイモ等の食物を潰そうとすると、容器の縁が邪魔になって、トングを食物に対して斜めに押圧することになり、食物が矢印の方向に逃げてしまう問題があった。さらに、容器の底にトングの先端のみが当たり、その他の部分には隙間があいてしまい、食物を十分潰すことができなかった。
【課題を解決するための手段】
【０００５】
押え面付きトングであって、把持部と、この把持部から延在して設けられた挟持部と、この挟持部に設けられた押え面から構成され、この把持部はヒンジ部を介して構成された一対の把持体からなり、この挟持部はこの把持体からそれぞれ湾曲して延在する一対の挟持体からなり、この一方の挟持体の外方には押え面が設けられていることを特徴とする押え面付きトング。
【発明の効果】
【０００６】
上記の問題点を解決し、食物等の物を掴んだり、押えたりすることのできる押え面付きトングを提供することができる。
【図面の簡単な説明】
【０００７】
【図１】第一の実施例の押え面付きトングを示す正面図である。
【図２】第一の実施例の押え面付きトングを示す平面図、底面図、左側面図、右側面図である。背面図は正面図と対称に表れる。
【図３】第一の実施例の押え面付きトングの開いた状態を示す正面図である。
【図４】第一の実施例の押え面付きトングの使用状態を示す正面図である。
【図５】従来技術のトングの使用状態を示す正面図である。
【図６】第二の実施例の押え面付きトングを示す正面図である。
【図７】第二の実施例の押え面付きトングを示す平面図、底面図、左側面図、右側面図である。背面図は正面図と対称に表れる。
【図８】第二の実施例の押え面付きトングの開いた状態を示す正面図である。
【図９】第二の実施例の押え面付きトングの使用状態を示す正面図である。
【図１０】第三の実施例の押え面付きトングを示す六面図である。
【図１１】図６のEE断面図である。
【図１２】第四の実施例の押え面付きトングを示す六面図である。
【図１３】第五の実施例の押え面付きトングを示す六面図である。
【図１４】第六の実施例の押え面付きトングを示す六面図である。
【発明を実施するための形態】
【０００８】
物を掴むトングであって、把持部と、この把持部から延在して設けられた挟持部と、この挟持部に設けられた押え面から構成され、この把持部はヒンジ部を介して構成された一対の把持体からなり、この挟持部はこの把持体からそれぞれ湾曲して延在する一対の挟持体からなり、この一方の挟持体の外方には押え面が設けられていることを特徴とする押え面付きトング。
【０００９】
上記の押え面付きトングの押え面にブラシを設けたことを特徴とする押え面付トング。
上記の何れかの押え面付トングに横ずれ防止部を設けたことを特徴とする押え面付トング。
【実施例】
【００１０】
図１、図２により、第一の実施例の押え面付きトングの閉じた状態を説明する。押え面付きトング１０は、把持部３０と、この把持部３０から延在して設けられた挟持部２０と、この挟持部２０に設けられた押え面４０から構成される。把持部３０はヒンジ部３２を介して構成された一対の把持体３１から構成されている。この実施例では、金属板を曲げて一体に形成されているが、プラスチックを用いてもよい。
【００１１】
挟持部２０は把持体３１からそれぞれ湾曲して延在する一対の挟持体２１からなり、挟持体２１の外方（図の下方）には押え面４０が設けられている。挟持体２１はプラスチックを成形して作られているが、金属で形成してもよい。挟持部３０と把持部２０は、別体に形成してもよいし、同一材料から形成してもよい。
【００１２】
把持体３１の先端近傍には湾曲部３３が設けられ、把持部３０に対し、挟持部２０がヒンジ部３２の軸ＸＸ周りに角度αだけ傾斜するよう構成されている。押え面４０は、略平坦な面を有し、傾斜した挟持部２０の外側に設けられている。αは３０度プラスマイナス2０度が望ましい。押え面４０の幅は把持部３０の幅より広くして十分な面積を取る方が望ましい。
【００１３】
図３は、第一の実施例の押え面付きトングの開いた状態である。ヒンジ部３２の弾性力により、ヒンジ部３２の軸ＸＸ回りに把持体３１、挟持体２１を回転させて開くことができる。把持体３１を握ると挟持体２１を閉じることができる。
【００１４】
図４で、この実施例の押え面付きトング１０の使用状態を説明する。押え面付きトング１０で食物６０を摘んで、容器７０の上に食物６０を置いて、押え面４０で押し潰す。このとき、押え面４０の先端は全面が食物６０に当たり効率よく潰すことができる。従来技術では、トングが斜めに物にあたるので、物が逃げたり、トングの先端のみで物を押圧したりするので効率が悪かった。
【００１５】
図６、図７、図８、図９により第二の実施例の押え面付きトングを説明する。第二の実施例の押え面付きトング１０は、押え面４０にブラシ４１を設けたものである。ブラシ４１は多数の毛を備えたものであるが、スポンジや不織布を用いたものでもよい。ブラシ４１により、食器などの汚れだけでなく、洗濯物の部分洗いに利用することができる。
【００１６】
特に、幼児や介護の汚物の付いた洗濯物は、すぐには洗濯機では洗えないので、手で下洗いをしていた。このとき素手では洗えないのでゴム手袋等を使っていたが、ゴム手袋は着脱に手間取り、手袋の中が蒸れるという欠点があった。この実施例によると、押え面付きトング１０により汚れ物を摘んで容器に入れ、汚れ面をブラシ４１で部分洗いすることができる。この様に洗濯物を仮洗いした後に、洗濯機に入れ仕上げ洗いをすれば、手や洗濯機を汚すことなく重度の汚れ物を洗濯することができる。
【００１７】
このとき、図９に示すように、ブラシ４１が洗濯物６１に広い面積で接触するので、効率的な洗濯をすることができる。
【００１８】
図１０は第三の実施例であり、ヒンジ部３２に軸を設けて把持体３１をバネにより把持体３１が拡がるよう付勢したものである。
図１１は横滑り防止部２３を設けたものである。山形のガイドを設けて把持体３１に横方向の力が掛かっても挟持体２１が横方向にずれないようにしたものである。
【００１９】
図１２は第四の実施例であり、挟持部３０の先を尖らせて、食物を掬い上げるのに役立つようにしたものである。
図１３は第五の実施例であり、挟持部３０の面積を拡大し、挟持や押圧を容易としたものである。
【００２０】
図１４は第六の実施例であり、把持部３０から挟持部２０を一体の金属で形成し、押え面４０に不織布を用いたり、又は金属やプラスチックの凹凸を設けたりしたものである。
【産業上の利用可能性】
【００２１】
この発明の押え面付きトングは、調理用だけでなく、汚れ物の洗濯用にも利用が可能である。
【符号の説明】
【００２２】
１０は押え面付きトング
２０は挟持部
２１は挟持体
２３は横滑り防止部
３０は把持部
３１は把持体
３２はヒンジ部
３３は湾曲部
４０は押え面
４１はブラシ
５０は手
６０は食品
６１は洗濯物
７０は容器
【図１】
2019058217.tif 000003
【図２】
2019058217.tif 000004
【図３】
2019058217.tif 000005
【図４】
2019058217.tif 000006
【図５】
2019058217.tif 000007
【図６】
2019058217.tif 000008
【図７】
2019058217.tif 000009
【図８】
2019058217.tif 000010
【図９】
2019058217.tif 000011
【図１０】
2019058217.tif 000012
【図１１】
2019058217.tif 000013
【図１２】
2019058217.tif 000014
【図１３】
2019058217.tif 000015
【図１４】
2019058217.tif 000016
【手続補正書】
【提出日】平成29年9月23日(2017.9.23)
【手続補正１】
【補正対象書類名】図面
【補正対象項目名】全図
【補正方法】変更
【補正の内容】
【図１】
2019058217.tif 000017
【図２】
2019058217.tif 000018
【図３】
2019058217.tif 000019
【図４】
2019058217.tif 000020
【図５】
2019058217.tif 000021
【図６】
2019058217.tif 000022
【図７】
2019058217.tif 000023
【図８】
2019058217.tif 000024
【図９】
2019058217.tif 000025
【図１０】
2019058217.tif 000026
【図１１】
2019058217.tif 000027
【図１２】
2019058217.tif 000028
【図１３】
2019058217.tif 000029
【図１４】
2019058217.tif 000030